(57)【要約】【課題】簡単な構成でカプセルの破壊や液漏れ、画像表示媒体が分離することを防止して、小さく巻くことができる画像表示媒体及びこれを用いる画像表示装置を提供する。【解決手段】シート状の画像表示シート１１０と、画像表示シート１１０を巻き取り可能な筒状の巻き取り部材１１９と、電磁器１１６とを備えて、画像表示シート１１０に画像を表示する画像表示ユニット１００であって、画像表示シート１１０の構成として、半球ごとに異なる表面を有する複数の球体１を備え、電磁器１１６により特定された球体１を半回転させることで画像を表示するものとして、画像表示シート１１０を送り出しながら電磁器１１６により画像を書き込み表示する機能と、巻き取り部材１１９により画像表示シート１１０を巻き取るときに、表示された画像を消去する機能と、を備えることを特徴とするものとする。【選択図】図２
2012083378.tif 000002
【特許請求の範囲】
【請求項１】
半球ごとに異なる表面を有する複数の球体を備え、磁気を有する書き込み部材により特定された前記球体を半回転させることで画像を表示する画像表示媒体であって、前記球体の何れか一方の半球側に磁性体を用いることを特徴とする画像表示媒体。
【請求項２】
前記磁性体は、Ｎ極またはＳ極に磁化されていることを特徴とする請求項１に記載の画像表示媒体。
【請求項３】
前記球体は、ガラス材を用いて構成されていることを特徴とする請求項１または２に記載の画像表示媒体。
【請求項４】
前記球体は、一方の半球側を白色として、他方の半球側を黒色とすることを特徴とする請求項１から３のうちの何れか一項に記載の画像表示媒体。
【請求項５】
前記画像表示媒体は、前記球体を個々に収納する複数のセルを備えるシート状の枠体と、基材シートと、表面シートとを備え、
前記球体を前記セル内に回転可能に収納した状態で、前記枠体を前記基材シートと前記表面シートとにより挟んで一体的に構成されていることを特徴とする請求項１から４のうちの何れか一項に記載の画像表示媒体。
【請求項６】
前記枠体は、前記複数のセルがハニカム構造で形成されていることを特徴とする請求項５に記載の画像表示媒体。
【請求項７】
前記基材シートは、磁性を有することを特徴とする請求項５または６に記載の画像表示媒体。
【請求項８】
前記球体の磁性体を用いる半球側が前記基材シート側に対向して配置された状態で、
前記書き込み部材を前記表面シート側より対向させときに、前記書き込み部材と対向する前記球体が半回転して、前記球体の磁性体を用いる半球側が前記表面シート側に対向して配置することを特徴とする請求項５から７のうちの何れか一項に記載の画像表示媒体。
【請求項９】
前記書き込み部材が、前記球体の磁性体を用いる半球側の磁極と逆磁極の特性を有するときには、前記球体の磁性体を用いる半球側を引きつけて前記表面シート側に対向させ、前記球体の磁性体を用いる半球側の磁極と同磁極の特性を有するときには、前記球体の磁性体を用いる半球側を反発させて前記表面シート側とは逆方向に向わせることを特徴とする請求項８に記載の画像表示媒体。
【請求項１０】
シート状の画像表示媒体と、前記画像表示媒体を巻き取り可能な筒状体と、磁気を有する書き込み部材とを備えて、前記画像表示媒体に画像を表示する画像表示装置であって、
前記画像表示媒体として請求項１から９のうちの何れか一項に記載の画像表示媒体を用いて、前記画像表示媒体を送り出しながら前記書き込み部材により画像を表示する機能と、前記筒状体により前記画像表示媒体を巻き取るときに、前記画像表示媒体に表示された画像を消去する機能と、を備えることを特徴とする画像表示装置。
【請求項１１】
前記書き込み部材は、電磁石を用いた着磁部を備え、前記画像表示媒体を送り出す方向に対して前記画像表示媒体に沿って略直角方向に前記着磁部を移動させることで、送り出される前記画像表示媒体に対して画像を表示することを特徴とする請求項１０に記載の画像表示装置。
【発明の詳細な説明】
【技術分野】
【０００１】
本発明は、磁気記録方式による画像表示媒体に係り、特に微小の球体を用いた画像表示媒体及びこれを用いる画像表示装置に関する。
【背景技術】
【０００２】
従来、リライタブルの媒体として、代表的には磁気鉄粉をマグネットで引くことにより磁気記録を行なう磁気ペンによる手書きの書き込みボードが知られている。
このような磁気記録方式による書き込みボードは、従前より、いわゆるお絵描きボードとして商品化されているが、書き込みと消去の手軽さから、手書きメモボードとして種々商品化されている。
【０００３】
磁気記録方式としては、磁気鉄粉を封印したシートとマイクロカプセル型磁気泳動とがある。磁気鉄粉については、例えば、Ｎ極とＳ極の色の着色を黒と赤に変えて、２色で書き込みができる磁気ペンを用いるものが商品化されている。
【０００４】
従来の磁気鉄粉式のメモボード２００は、例えば、図９（ａ），（ｂ）に示すように、画像表示シート２１０と消去用マグネット２１３により形成され、磁気ペン２１４により画像表示シート２１０の表面を接触しながら移動させて文字や画像を表示するようになっている。
【０００５】
画像表示シート２１０は、黒色の磁気鉄粉２１１が白色液２１２とともにシート内に収納されており、消去用マグネット２１３を画像表示シート２１０に近けると、消去用マグネット２１３によって磁気鉄粉２１１が引きつけられて画像表示シート２１０の底（下側）に沈む。これによって、画像表示シート２１０の表面は、白色液２１２によって白く見える。
【０００６】
そして、画像表示シート２１０の表面を磁気ペン２１４によってなぞると、磁気ペン２１４によって磁気鉄粉２１１が画像表示シート２１０の表面に引きつけられて、磁気鉄粉２１１により黒色の文字、画像が表示される状態となる。
【０００７】
一方、画像表示媒体としては、デジタルペーパーに代表される反射型の電子ペーパーが種々提案、商品化されている。
電子ペーパーとして、例えば、マイクロカプセル型電気泳動、トナーディスプレイ、２色に色分けされた回転するツイストボール型の電気泳動、積層型コステリック液晶、ロイコ染料のリライタブル等がある。どの電子ペーパーにおいても画像の書き込み時には電気を消費するが、画像の保持については、無電力で長時間表示を保持できるという特徴がある。
【０００８】
近年、消費電力の低減もあり、バックライトを用いた液晶モニターやプラズマモニター及び有機ＥＬの映像主体とする表示媒体に対して、電子ペーパーは表示切り替えが頻繁では無い電子書籍の読み取りや駅等の広告媒体に代表される電子掲示板に使われている。特徴としては、反射型であり、目にやさしいこと、外部の太陽光の下でも見やすいこと、安価であることがあげられる。
【０００９】
ここで、筆記する一般のペーパー（紙、用紙など）は、鉛筆、インク等で、書き込み、消しゴムで消すことができ、巻いたり、折ったり、切ったりすることができる。一方、電子ペーパーは、ＩＴＯ電極を持ち静電気駆動して表示するため、若干曲げることが可能なものの提案は成されているが、用紙のように巻く、折るまでは至っていないのが実情である。
【００１０】
また、磁気ペンにより書き込む磁気ボードに対して、電子ペーパーは静電気で記録するため、直接部分消去及び書き込みができず、消去及び書き込みを入力して、画像を通電して再度表示する必要がある。
【００１１】
電子ペーパーの理想としては、よりペーパーに近い、手帳の用紙の一部としての書き込み／消去できるメモ、壁に貼りつけ書き込む用紙、窓にかけるブラインドのような薄いシート状の表示媒体が考えられる。これらに対し、現在の電子ペーパーはまだ不向きである。
【００１２】
そこで、このような薄い電子シートへの提案として、マイクロカプセル磁気泳動表示シートが提案されている。例えば、透明性を有する表面シート上に微細な磁性粉と酸化チタン粒子を分散した液体をマイクロカプセルに封印し、磁界を作用させて磁性粉を表面に泳動させることによる表示方法で、外寸３００〜６００μｍのマイクロカプセル上に紫外線硬化樹脂層を順に有するマイクロカプセル磁気表示シートが提案されている（特許文献１を参照）。
【００１３】
このシートは、耐衝撃性及び耐久性が良好で剛性、柔軟性が改善され、厚みが５００μｍある。使用用途としては、幼児用絵本、幼児用玩具、文字練習機、各種ゲーム用板、習字板、メモ用板、会議用黒板、各種情報ボード、電光掲示板、パソコンの表示用パネル等が提案されている。
【００１４】
また、その他の技術として、白色顔料及び磁性粒子を含む分散液を内包したマイクロカプセルを有する固形分散層及び光吸収性皮膜層を有するファクシミリ送信用マイクロカプセル磁気記録シートが提案されている（特許文献２を参照）。
【００１５】
このシートは、柔軟性を有し、全体の厚みを３８０μｍとしている。使用用途としては、ファクシミリ器機での送信用として提案されている。
【００１６】
また、その他の技術として、分散液、白色顔料、添加剤及び磁性粒子を内包したマイクロカプセルの平均粒径を５０〜６５０μｍとして、磁性粒子の粒径が０．１〜１．０μｍと１〜２０μｍの粒径の異なる２種以上を有することで、上消し可能で、部分消去ができるようにしたものが提案されている（特許文献３を参照）。
【００１７】
磁気鉄粉を白色液とともに基材と表面シート間でハニカム形状の枠内に封入した一般的な磁気ボードにおいては、消去用磁石によって磁気鉄粉を基材側に裏面より引きつけて、表面シートには白色液の白色が見えるようにして消去する状態とし、表面から磁気ペンで書き込むことによって、磁気鉄粉を表面シート下面に引き上げることで見えるようにして、書き込み表示する。また、消去は、裏面より部分的に磁石で消すことも可能である。
【００１８】
シートの厚みは、磁気鉄粉を基材側に引いて消去する場合の白色液が磁気鉄粉を隠す深さが必要であるため、５００μｍ以上必要である。ハニカム形状の外寸は、商品化されているものでは３ｍｍのものがある。
【先行技術文献】
【特許文献】
【００１９】
【特許文献１】特許第２８４１２９４号公報
【特許文献２】特許第３９６４３７３号公報
【特許文献３】特許第４０８９８０８号公報
【発明の概要】
【発明が解決しようとする課題】
【００２０】
しかしながら、マイクロカプセル方式によるカプセル型磁気泳動あるいはカプセル型電気泳動では、カプセル内に液体が封入されて厚みもあるため、シートを曲げることでカプセルが破壊されて液漏れが生じたりシートの分離が生じる場合がある。従って、シートを若干曲げることはできても小さく巻くことはできないという問題がある。
【００２１】
また、磁気鉄粉方式による磁気ボードにおいては、ハニカム形状の枠内に磁気鉄粉とともに白液が封入されているため、これも強く曲げることで破壊、液漏れを生じる場合がある。
【００２２】
また、従来のマイクロカプセルの外形は、２００μｍが一般的（ケミテック株式会社製）であり、磁気鉄粉方式のハニカム寸法も３ｍｍが一般的である。これによって、太い線は問題ないが、細線（０．２ｍｍ以下の太さの線）は表現できないという問題がある。
【００２３】
さらに、消去操作においては、裏面から磁力を当てて消すか、表面から消去するかにより、消去する側に消去用磁石を配置しておく必要があるため、その消去用磁石の取り付け部を確保するために構造が大きくなるという問題がある。
【００２４】
なお、一部のカプセル型磁気泳動では、表面からも消去できるように工夫されているものもあるが、一般に裏面からの操作が多く、記録媒体としては、消去用磁石の取り付け部のスペースが必要となるため、高さが一般に１０ｍｍ以上となるのでシート状とは言い難い。
【００２５】
本発明は、上記従来の課題に鑑みてなされたものであり、簡単な構成でカプセルの破壊や液漏れ、画像表示媒体が分離することを防止して、小さく巻くことができる画像表示媒体及びこれを用いる画像表示装置を提供することを目的とする。
【課題を解決するための手段】
【００２６】
本発明は、半球ごとに異なる表面を有する複数の球体を備え、磁気を有する書き込み部材により特定された前記球体を半回転させることで画像を表示する画像表示媒体であって、前記球体の何れか一方の半球側に磁性体を用いることを特徴とするものである。
【００２７】
本発明において、前記磁性体は、シャワー方式のイオンプレーティングング装置による蒸着メッキ手法によって金属を蒸着したものであってもよい。また、フェライトの磁性体により磁力に反応させやすくしたものであってもよい。
【００２８】
また、本発明は、前記磁性体をＮ極またはＳ極に磁化することが好ましい。
【００２９】
また、本発明は、前記球体をガラス材を用いて構成することが好ましい。
例えば、前記球体を平均粒径が約６０μｍのガラスビーズを使用してもよい。
【００３０】
また、本発明は、前記球体の構成として、一方の半球側を白色として、他方の半球側を黒色とすることが好ましい。
例えば、前記球体を白色に着色して、半球の磁性体側を黒色に着色することで、回転によって、白／黒の切り替えで文字や画像を表現できる。また、前記球体として透明なガラスビーズを用いる場合は、光がガラスビーズに入り反射するので、赤、青、緑の三原色を薄く着色したものであってもよい。これにより、カラー表現をすることが可能となる。
【００３１】
また、本発明は、前記画像表示媒体の構成として、前記球体を個々に収納する複数のセルを備えるシート状の枠体と、基材シートと、表面シートとを備え、前記球体を前記セル内に回転可能に収納した状態で、前記枠体を前記基材シートと前記表面シートとにより挟んで一体的に構成することが好ましい。
【００３２】
また、本発明は、前記枠体を前記複数のセルがハニカム構造で形成することが好ましい。
【００３３】
また、本発明は、前記基材シートを磁性を有するものとすることが好ましい。
例えば、基材シートを磁性体の金属粉を練りこんだゴムシートとしてもよい。
【００３４】
また、本発明は、前記球体の磁性体を用いる半球側が前記基材シート側に対向して配置された状態で、前記書き込み部材を前記表面シート側より対向させときに、前記書き込み部材と対向する前記球体が半回転して、前記球体の磁性体を用いる半球側が前記表面シート側に対向して配置することが好ましい。
【００３５】
また、本発明は、前記書き込み部材が、前記球体の磁性体を用いる半球側の磁極と逆磁極の特性を有するときには、前記球体の磁性体を用いる半球側を引きつけて前記表面シート側に対向させ、前記球体の磁性体を用いる半球側の磁極と同磁極の特性を有するときには、前記球体の磁性体を用いる半球側を反発させて前記表面シート側とは逆方向に向わせることが好ましい。
【００３６】
また、本発明は、シート状の画像表示媒体と、前記画像表示媒体を巻き取り可能な筒状体と、磁気を有する書き込み部材とを備えて、前記画像表示媒体に画像を表示する画像表示装置であって、前記画像表示媒体として請求項１から９のうちの何れか一項に記載の画像表示媒体を用いて、前記画像表示媒体を送り出しながら前記書き込み部材により画像を表示する機能と、前記筒状体により前記画像表示媒体を巻き取るときに、前記画像表示媒体に表示された画像を消去する機能と、を備えることを特徴とするものである。
【００３７】
また、本発明は、前記書き込み部材の構成として、電磁石を用いた着磁部を備え、前記画像表示媒体を送り出す方向に対して前記画像表示媒体に沿って略直角方向に前記着磁部を移動させることで、送り出される前記画像表示媒体に対して画像を表示することが好ましい。
【発明の効果】
【００３８】
本発明によれば、半球ごとに異なる表面を有する複数の球体を備え、磁気を有する書き込み部材により特定された前記球体を半回転させることで画像を表示する画像表示媒体であって、前記球体の何れか一方の半球側に磁性体を用いることで、前記球体が磁力に反応し易くなるので、液体封入により前記球体を泳動させることなく、空気中で容易に回転可能となる。また、マイクロカプセルを用いることがないので、液漏れや画像表示媒体が分離することを防止でき、簡単な構造で小さく巻くことができる画像表示媒体を実現できる。
【００３９】
また、本発明によれば、前記磁性体をＮ極またはＳ極に磁化することで、例えば、磁性体外周部にＮ極を着磁しておくと、書き込み部材は、Ｓ極で引き合い、Ｎ極で反発させることができるので、Ｓ極／Ｎ極を切り替えることで、書き込みと消去を行なうことができる。
【００４０】
また、本発明によれば、前記球体をガラス材を用いて構成することで、回転動作を行ないやすくなる。
【００４１】
また、本発明によれば、前記球体の構成として、一方の半球側を白色として、他方の半球側を黒色とすることで、前記球体が半回転したときの状態を明確にすることができる。
【００４２】
また、本発明によれば、前記画像表示媒体の構成として、前記球体を個々に収納する複数のセルを備えるシート状の枠体と、基材シートと、表面シートとを備え、前記球体を前記セル内に回転可能に収納した状態で、前記枠体を前記基材シートと前記表面シートとにより挟んで一体的に構成することで、前記枠体内で前記球体を容易に回転動作させることができる。
【００４３】
また、本発明によれば、前記枠体を前記複数のセルがハニカム構造で形成することで、基材シートと表面シートの間隙を一定に保つことができるので、球体を安定して収納することができる。
【００４４】
また、本発明によれば、前記基材シートを磁性を有するものとすることで（例えば、前記基材シートを磁性体の金属粉を練りこんだゴムシートとすることで）、前記基材シート側に球体の磁性体が吸着しやすくなる。
【００４５】
また、本発明によれば、前記球体の磁性体を用いる半球側が前記基材シート側に対向して配置された状態で、前記書き込み部材を前記表面シート側より対向させときに、前記書き込み部材と対向する前記球体が半回転して、前記球体の磁性体を用いる半球側が前記表面シート側に対向して配置することで、前記書き込み部材による着磁位置を変化させることで容易に画像を表示することができる。
【００４６】
また、本発明によれば、前記書き込み部材が、前記球体の磁性体を用いる半球側の磁極と逆磁極の特性を有するときには、前記球体の磁性体を用いる半球側を引きつけて前記表面シート側に対向させることで文字、絵を含む画像を表示し、前記球体の磁性体を用いる半球側の磁極と同磁極の特性を有するときには、前記球体の磁性体を用いる半球側を反発させて前記表面シート側とは逆方向に向わせることで文字、絵を含む画像を消去することができる。
【００４７】
また、本発明によれば、シート状の画像表示媒体と、前記画像表示媒体を巻き取り可能な筒状体と、磁気を有する書き込み部材とを備えて、前記画像表示媒体に画像を表示する画像表示装置であって、前記画像表示媒体として請求項１から９のうちの何れか一項に記載の画像表示媒体を用いて、前記画像表示媒体を送り出しながら前記書き込み部材により画像を表示する機能と、前記筒状体により前記画像表示媒体を巻き取るときに、前記画像表示媒体に表示された画像を消去する機能と、を備えることで、簡単な構成で前記画像表示媒体に画像を表示できるとともに、簡単に画像を消去することができる。
【００４８】
また、本発明によれば、前記書き込み部材の構成として、電磁石を用いた着磁部を備え、前記画像表示媒体を送り出す方向に対して前記画像表示媒体に沿って略直角方向に前記着磁部を移動させることで、送り出される前記画像表示媒体に対して画像を表示することで、例えば、前記着磁部をＮ磁極にして前記画像表示媒体に画像を表示したときに、前記画像表示媒体を巻き取る際には、前記着磁部をＳ磁極にすることで簡単に前記画像表示媒体に画像を消去することができる。
【図面の簡単な説明】
【００４９】
【図１】本発明の実施形態に係る画像表示媒体を構成する球体の構成を示す説明図である。
【図２】前記球体の構成を示す断面図である。
【図３】前記球体の構成のその他の例を示す説明図である。
【図４】前記球体の構成の変形例を示す説明図である。
【図５】（ａ）は本実施形態の実施例１の画像表示シートの構成を示す平面図、（ｂ）は前記画像表示シートの構成を示す側面図である。
【図６】（ａ）は前記画像表示シートの構成を示す図５（ａ）のＡ部を拡大した説明図、（ｂ）は図６（ａ）のＢ−Ｂ断面図である。
【図７】（ａ）は前記画像表示シートに画像が表示された状態を示す側面断面図、（ｂ）は前記画像表示シートを湾曲させた状態を示す側面断面図、（ｃ）は前記画像表示シートに表示された画像が消去された状態を示す側面断面図である。
【図８】（ａ）は本実施形態の実施例２の画像表示ユニットの構成を示す側面視による説明図、（ｂ）は前記画像表示ユニットの構成を示す正面視による説明図である。
【図９】（ａ）は従来の磁気鉄粉式のメモボードの構成を示す平面図、（ｂ）は前記メモボードの構成を示す側面断面図である。
【発明を実施するための形態】
【００５０】
以下、本発明の実施形態について図面を参照して説明する。
図１は発明を実施する形態の一例であって、本発明の実施形態に係る画像表示媒体を構成する球体の構成を示す説明図、図２は前記球体の構成を示す断面図、図３は前記球体の構成のその他の例を示す説明図、図４は前記球体の構成の変形例を示す説明図、図５（ａ）は本実施形態の実施例１の画像表示シートの構成を示す平面図、（ｂ）は前記画像表示シートの構成を示す側面図、図６（ａ）は前記画像表示シートの構成を示す図５（ａ）のＡ部を拡大した説明図、（ｂ）は図６（ａ）のＢ−Ｂ断面図である。
【００５１】
本発明の実施形態は、図１、図５（ａ），（ｂ）に示すように、半球ごとに異なる表面を有する複数の球体１を備え、磁気を有する書き込み部材（図視省略）により特定された球体１を半回転させることで画像を表示する画像表示シート（画像表示媒体）１０であって、球体１として本発明に係る球体の構成を採用したことを特徴とするものである。
【００５２】
球体１は、図１、図２に示すように、球状のガラスビーズ（ガラス材）を用いて構成され、一方の半球側に磁性体であるフェライト系の金属（以下、「金属部」と称する。）２が蒸着メッキされている。
【００５３】
金属部２は、半球の外周側をＮ極(又はＳ極)に磁化させて、外部側よりＳ極（又はＮ極）の磁力により半回転させて向きを変えて画像表示シート１０に画像を表示するものである。
【００５４】
なお、本実施形態では、球体１は、ガラスビーズを主体に構成しているが、樹脂、例えば、透明なポリカーボネートを用いても良い。
【００５５】
本来、ガラスビーズは、サンドミル、サンドブラスト研磨用、薬品の廃液濾過用、道路の標識及び路面表示物の反射用、安全服、靴等の反射テープ、電子部品の空間確保のスペーサ及び装飾用として用いられている。これら使用用途の中で、特に標識に使用される２０〜１００μｍの反射ビーズの中から中心外形寸法が６０μｍのガラスビーズを使用することが可能である。ガラスビーズは、選別によって粒径を分けて用いられているので、６０μｍは平均径であって、実際は５３〜７６μｍの範囲でばらついている。
【００５６】
本実施形態では、球体１の一方の半球側には、シャワー方式のイオンプレーティングング装置による蒸着メッキ手法（特許第３９０４６５８号、半面被覆粒状体の製造装置）によって、磁性体としてフェライト系の金属を蒸着メッキしている。この蒸着メッキの膜厚は、磁力、環境変化に対する錆等の影響を考慮して２μｍ以上とした。
【００５７】
本実施形態では、金属部２の蒸着メッキ表面は、濃い灰色で形成されている。
ガラスビーズの球体１と蒸着メッキの付着面２ａは、シルバーに近い色で形成されている。これにより、球体１の他方の半球側のガラスビーズ表面より入射した光は、図２に示すように、ガラスビーズと蒸着メッキの付着面２ａで反射し、再帰反射する。
一方、蒸着メッキされた金属部２の外周面は、濃い灰色で形成されているので、再帰反射しない。
【００５８】
その他の例として、球体１の構成を、図３に示すように、金属部２の外周部を黒塗装することで、ガラスビーズのガラス側の半球と金属部２側の半球とを色分けしてもよい。
【００５９】
また、変形例として、球体１の構成を、図４に示すように、使用するガラスビーズを透明ではなく白着色することで、ガラスビーズ側の半球側を白色、金属部２の蒸着メッキ側を黒色とし、白／黒によって文字、絵の表示を再現してもよい。
【００６０】
さらに、画像をカラー表示するには、球体１に使用するガラスビーズを、例えば、赤、青、緑の三原色を薄く着色して用いることで、制御によってカラー表示を行なうことができる。
【００６１】
いわゆる反射型シートの場合は、カラーにするとバックライト式の画像表示媒体に比べて明るさが見劣りするが、ガラスビーズの反射シート上の表面にインクジェットで薄くカラー印刷させた掲示板が商品化されているように、本実施形態における球体１のガラスビーズを薄くカラー着色することで、光の再帰反射で明るくすることができる。
【００６２】
次に、本実施形態の特徴的な画像表示シート１０の構成について図面を参照して説明する。
本実施形態の画像表示シート１０は、図５（ａ），（ｂ）、図６（ａ），（ｂ）に示すように、球体１と、透明な表面シート１１と、球体１を個々に収納する複数のセル１２ａを備えたシート状の枠体１２と、基材シート１３とを備え、球体１をセル１２ａ内に回転可能に収納した状態で、枠体１２を基材シート１３と表面シート１１とにより挟んで一体的に構成されている。
【００６３】
（実施例１）
実施例１の画像表示シート１０は、名刺サイズ（４５×９１ｍｍ）で形成され、図５（ｂ）に示すように、表面シート１１、枠体１２、基材シート１３がそれぞれ紫外線硬化樹脂系の接着剤で接着されている。
【００６４】
具体的には、まず、基材シート１３と枠体１２とを接着し、接着剤を紫外線で硬化させた後に、図６（ａ），（ｂ）に示すように、ガラスビーズの球体１を自動装着機（図示省略）にて枠体１２のハニカム形状のセル１２ａに収納して、球体１が基材シート１３側に吸着された状態で表面シート１１を紫外線硬化樹脂系の接着剤で貼りつけ、接着剤を紫外線で硬化させる。
【００６５】
実施例１では、画像表示シート１０を名刺サイズのもので説明しているが、大きなサイズも可能である。例えば、巾１ｍ×２ｍのシート状のものも可能である。
【００６６】
表面シート１１は、厚さ２５μｍのＰＥＴ（ポリエチレンテレフタレート）の透明シートで形成されている。なお、表面シート１１の厚さは、強度を考慮して５０μｍを用いても良く、さらに、大きなサイズになれば７５μｍを用いても良い。
また、表面シート１１の材料は、ＰＥＴ以外にも、伸縮性が優れたポリエステル、ポリエチレン等の透明の樹脂シートを用いても良い。
【００６７】
枠体１２は、図６（ａ），（ｂ）に示すように、約０．１ｍｍの厚さの樹脂材で、二面幅が約０．１ｍｍの六角形状の複数のセル１２ａが並設されたハニカム構造で形成されている。
【００６８】
基材シート１３は、図６（ｂ）に示すように、約０．２ｍｍの厚さで、鉄粉をゴム材に混在させたグレー色のシート状の部材である。基材シート１３は、鉄粉が混在しているので、マグネットを引きつけ保持する。従って、球体１の一方の半球側のＮ磁極に着磁された蒸着メッキの金属部２を引きつけるようにされている。なお、本実施形態では、基材シート１３は、着磁していない。また、色はグレー色としているが、使用用途によって白色であってもよい。
【００６９】
次に、画像表示シート１０による画像の表示操作について説明する。
画像表示シート１０による画像の描写は、図示しない磁気ペンによって行なうことができる。
【００７０】
画像表示シート１０における球体１は、一方の半球側の金属部２の外周側がＮ磁極に着磁されているので、ペン先がＳ磁極に着磁された磁気ペンによって、表面シート１１側から表面シート１１に沿ってなぞることで、球体１は一方の半球側の金属部２側が引き寄せられて半回転することで黒色を表示する。このような操作によって、磁気ペンを移動することによって、文字や画像を描写することができる。
【００７１】
画像表示シート１０は、球体１のガラスビーズを透明にすることで、例えば、掲示板の反射シートとしても使用可能である。具体的には、表面シート１１に印刷もしくは印刷したフィルムを貼りつけることで、掲示板、広告板の反射シートとして使用でき、照明を当てれば照明側に再帰反射によって、球体１の金属部２側ではない他方の半球側が明るく反射して遠くからでも視認性が良好になる。
【００７２】
画像表示シート１０に表示された画像を消去する場合は、画像が表示された画像表示シート１０の表面シート１１側にマグネットのＮ磁極に着磁された面を接触させることで、マグネットのＮ磁極の磁力に球体１の金属部２を基材シート１３側に反転させることにより、黒色に表示された文字や画像を消去することができる。
【００７３】
一方、画像表示シート１０を反射シートとして用いる場合には、逆に、画像が表示された画像表示シート１０の表面シート１１側にマグネットのＳ磁極に着磁された面を接触させることで、球体１の一方の半球側の金属部２を表面シート側に反転すれば、その反転した範囲が反射せず暗くなるので、掲示板の消したい部分を消したような表示にすることができる。
【００７４】
球体１に用いられるガラスビーズは、一般にプラス極側に帯電するので、表面シート１１の裏面（マイナス極側）に静電気で付着することもある。しかしながら、球体１の金属部２は、その磁力により基材シート１３側に吸着するため、その吸着力により表面シート１１側の裏面には吸着しにくい。
【００７５】
また、画像表示シート１０によれば、上述したように磁石などの磁力によらずに表示された画像を消去することができる。
【００７６】
以下に、画像表示シート１０に表示された画像を磁石などの磁力によらずに消去する操作について説明する。
図７（ａ）は本実施形態の画像表示シートに画像が表示された状態を示す側面断面図、（ｂ）は前記画像表示シートを湾曲させた状態を示す側面断面図、（ｃ）は前記画像表示シートに表示された画像が消去された状態を示す側面断面図である。
【００７７】
画像表示シート１０に表示されている画像を消去する場合は、図７（ａ）に示すように画像が表示されている状態の画像表示シート１０を、図７（ｂ）に示すように、図中で基材シート１３の両端部が下方に曲がるように湾曲させる。
【００７８】
基材シート１３は、ゴムシートでできているので曲げやすい構造となっている。
枠体１２は、樹脂材で形成されているためバネ性があり丸めることも可能で、曲げた状態から開放すると（離すと）元の平板に戻る復元性も備えている。
表面シート１１は、展延性のあるＰＥＴを使用しているので曲げに対して伸びる性質を備えている。
【００７９】
球体１は、個々独立して枠体１２のセル１２ａの空間に収納されている構造なので、画像表示シート１０自体の曲げに対して影響されない。
【００８０】
この状態で、シート状の画像表示シート１０を基材シート１３を中心にして湾曲させると、図７（ａ）に示すように、球体１の一方の半球側の金属部２が表面シート１１側に文字、絵を表示していた側が、表面シート１１の伸びで基材シート１３側に押さえられ、枠体１２がたわみ、球体１は枠体１２に対してセル１２ａとの隙間が広がり回転し易くなる。これにより、球体１の金属部２が基材シート１３に対向するように半回転する。
【００８１】
また、図７（ｂ）に示す基材シート１３を湾曲させる動きに対して、前述したように球体１は、静電気プラスに帯電するので表面シート１１側に引きやすくなる。この状態も球体１が回転しやすい状態となっている。
【００８２】
この状態で、画像表示シート１０の曲げ状態を開放すると、画像表示シート１０は、図７（ｃ）に示すように、枠体１２のバネ性で元の状態に戻る。
【００８３】
なお、磁気ペンの極性をＳ極からＮ極に変えて、表面シート１１側から図７（ａ）に示す球体１の金属部２により文字、絵が表示されている部分をなぞることで、磁気ペンの磁力の反発によって球体１が反回転して、金属部２が基材シート１３側に対向することにより文字、絵が消去される。
このようにして、画像表示シート１０に表示された画像を簡単に消去することができる。
【００８４】
（実施例２）
実施例２の画像表示ユニット（画像表示装置）１００は、画像表示シート１１０を巻き取り可能に構成して、画像表示シート１１０に文字や画像の書き込み、消去を行なうようにしたものである。
図８（ａ）は実施例２の画像表示ユニットの構成を示す側面視による説明図、（ｂ）は前記画像表示ユニットの構成を示す正面視による説明図である。
【００８５】
画像表示ユニット１００は、シート状の画像表示シート１１０と、画像表示シート１１０を巻き取る巻き取り部材（筒状体）１１９と、シート状の画像表示シート１１０に文字や画像を書き込む電磁器（書き込み部材）１１６と、電磁器１１６を支持するキャリッジ１１７と、キャリッジ１１７を動作させるスキャン軸１１８を備えている。
【００８６】
電磁器１１６は、キャリッジ１１７に複数取り付けられており、スキャン軸１１８に沿って往復運動することによってデータを書き込むものである。
【００８７】
画像表示ユニット１００は、従来の磁気ペンの代わりに電磁器１１６により画像表示シート１１０上に画像データを文字、絵として書き込むようにされている。
【００８８】
画像表示ユニット１００により、画像表示シート１１０に画像を書き込む場合は、画像表示シート１１０を引き出しながら、電磁器１１６の往復運動と画像表示シート１１０の送り動作によって画像を書き込む。これにより、画像表示シート１１０において特定された位置の球体１が半回転することにより画像が表示される。
【００８９】
画像表示シート１１０に表示された画像を消去する場合は、画像表示シート１１０を巻き取り部材１１９により巻き込むことによって、前述した画像表示シートを湾曲させることで画像を消去する操作により、画像表示シート１１０に表示された画像を消去することができる。
【００９０】
このように画像表示ユニット１００を構成することで、駅のポスターや広告表示等、常に表示を切り替えない広告媒体用に本実施形態に係る画像表示シートを展開するこが可能になる。
【００９１】
以上のように構成したので、本実施形態によれば、画像表示シート１０において、画像表示するための球体１の何れか一方の半球側にフェライト系の金属を蒸着メッキした金属部２を形成することで、従来のように画像表示媒体の内部に液体を封入して球体を泳動させることなく、また、従来のようにマイクロカプセルを用いることがないので、画像表示媒体からの液漏れや画像表示媒体が分離することを防止できる画像表示シートを実現できる。
【００９２】
また、本実施形態によれば、枠体１２を樹脂材で形成し、基材シート１３は、約０．２ｍｍの厚さで、鉄粉をゴム材に混在させたゴムシートにより形成したので、簡単な構造で小さく巻くことができる。また、このように構成したので、画像表示シート１０を基材シート１３を内側にして湾曲させることで簡単に画像表示シート１０に表示された画像を消去することができる。
【００９３】
さらに、上述した実施形態及び実施例の画像表示シート１０，１１０を用いることで、例えば、手帳に挟む書き込みメモ消去可能なシート、壁等に貼る書き込み消去可能なシート、書き込み消去可能な電子メモ、シート状の電子掲示板等への展開が可能である。
【００９４】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００９５】
１  球体
２  金属部（磁性体）
２ａ  付着面
１０，１１０  画像表示シート（画像表示媒体）
１１  表面シート
１２  枠体
１２ａ  セル
１３  基材シート
１００  画像表示ユニット（画像表示装置）
１１６  電磁器（書き込み部材）
１１７  キャリッジ
１１８  スキャン軸
１１９  巻き取り部材（筒状体）
２１４  磁気ペン（書き込み部材）
【図１】
2012083378.tif 000003
【図２】
2012083378.tif 000004
【図３】
2012083378.tif 000005
【図４】
2012083378.tif 000006
【図５】
2012083378.tif 000007
【図６】
2012083378.tif 000008
【図７】
2012083378.tif 000009
【図８】
2012083378.tif 000010
【図９】
2012083378.tif 000011